(57)【要約】【課題】自機で録画した対象コンテンツの再生毎に視聴者に画質パラメータを調整させることなく、対象コンテンツをいつでも視聴者が満足する画質で表示するテレビを実現する。【解決手段】テレビ（１）は、コンテンツを再生する録画再生手段を備えている。また、テレビ（１）は、パラメータ処理手段を備えている。パラメータ処理手段は、コンテンツ毎に、当該コンテンツの再生の度にテレビ（１）に設定される画質パラメータを録画時または録画予約時にＵＳＢ−ＨＤドライブ（２）に記録する。また、パラメータ処理手段は、ユーザの更新指示に基づいて、ドライブ（２）に記録されている画質パラメータをコンテンツ毎に個別に更新する。【選択図】図１
2014027648.tif 000002
【特許請求の範囲】
【請求項１】
録画済みのコンテンツの映像を出力部から出力する出力制御装置において、
上記コンテンツを再生する再生手段と、
コンテンツ毎に、当該コンテンツの再生の度に上記出力制御装置に設定される出力パラメータであってその設定値に応じて上記出力制御装置が上記出力部からの出力を制御する出力パラメータを、当該コンテンツの出力パラメータとして、記憶部に記録する記録手段と、
ユーザからの更新指示に基づいて、上記記憶部に記録されている出力パラメータをコンテンツ毎に個別に更新する更新手段と、
上記コンテンツ毎に、当該コンテンツを識別する識別情報と当該コンテンツの出力パラメータとを表示部に表示するパラメータ表示制御手段と、を備え、
上記パラメータ表示制御手段は、上記コンテンツ毎に、当該コンテンツを識別する識別情報と当該コンテンツの出力パラメータとの一方または両方を、当該コンテンツの再生時に当該コンテンツの出力パラメータが上記出力制御装置に自動的に設定されたか否かに依って異なる表示態様で表示するように構成されている、ことを特徴とする出力制御装置。
【請求項２】
録画済みのコンテンツの映像を出力部から出力する出力制御装置であって上記録画済みのコンテンツの一覧を示す録画リスト画面を表示可能な出力制御装置において、
上記コンテンツを再生する再生手段と、
コンテンツ毎に、当該コンテンツの再生の度に上記出力制御装置に設定される出力パラメータであってその設定値に応じて上記出力制御装置が上記出力部からの出力を制御する出力パラメータを、当該コンテンツの出力パラメータとして、記憶部に記録する記録手段と、
ユーザからの更新指示に基づいて、上記記憶部に記録されている出力パラメータをコンテンツ毎に個別に更新する更新手段と、
上記録画リスト画面内のユーザに指定されるタイトルについてそのサムネイル動画を再生するか否かの設定を受け付ける設定受付手段と、
上記録画リスト画面の表示時に、上記出力制御装置に設定される音量パラメータの値を、上記録画リスト画面の表示前よりも小さくする設定変更手段と、を備え、
上記設定変更手段は、上記録画リスト画面の表示時に上記設定がサムネイル動画を再生する設定になっている場合に、上記音量パラメータの値を小さくするように構成されている、ことを特徴とする出力制御装置。
【請求項３】
上記記録手段は、上記コンテンツの出力パラメータとして、特定の出力パラメータを記録するように構成されており、
上記特定の出力パラメータは、当該コンテンツの録画時または録画予約時に上記出力制御装置に設定されている出力パラメータである、ことを特徴とする請求項１または２に記載の出力制御装置。
【請求項４】
上記記録手段は、上記コンテンツの出力パラメータとして、特定の出力パラメータを記録するように構成されており、
上記特定の出力パラメータは、ユーザにより当該コンテンツの出力パラメータとして指定された出力パラメータである、ことを特徴とする請求項１または２に記載の出力制御装置。
【請求項５】
上記コンテンツの録画時または録画予約時に、上記記憶部に当該コンテンツとタイトル名が全体一致または部分一致する他のコンテンツの出力パラメータが記録されているか否かを判定する判定手段をさらに備え、
上記記録手段は、上記コンテンツの出力パラメータとして、上記判定手段が上記他のコンテンツの出力パラメータが記録されていると判定した場合には、当該他のコンテンツの出力パラメータを記録し、上記判定手段が上記他のコンテンツの出力パラメータが記録されていないと判定した場合には、上記特定の出力パラメータを記録するように構成されている、ことを特徴とする請求項３または４に記載の出力制御装置。
【請求項６】
上記出力部は表示部と音声出力部とを含んでおり、
上記出力パラメータには、画質パラメータと音声パラメータとが含まれており、
再生中の上記コンテンツの映像を上記表示部に表示するとともに、当該コンテンツの音声を上記音声出力部から出力するように構成されている、ことを特徴とする請求項１から５のいずれか１項に記載の出力制御装置。
【請求項７】
請求項１から６のいずれか１項に記載の出力制御装置の各手段を備えていることを特徴とするテレビジョン受像機。
【請求項８】
録画済みのコンテンツの映像を出力部から出力するテレビジョン受像機において、
上記コンテンツを再生する再生手段と、
コンテンツ毎に、当該コンテンツの再生の度に自機に設定される出力パラメータであってその設定値に応じて自機が上記出力部からの出力を制御する出力パラメータを、当該コンテンツの出力パラメータとして、記憶部に記録する記録手段と、
ユーザからの更新指示に基づいて、上記記憶部に記録されている出力パラメータをコンテンツ毎に個別に更新する更新手段と、を備え、
上記再生手段は、入力切替により再生対象となった映像を再生可能に構成されており、
上記記録手段は、上記入力切替により切り替え可能な入力毎に、該入力に切り替えられる度に自機に設定される出力パラメータであってその設定値に応じて自機が上記出力部からの出力を制御する出力パラメータを、上記記憶部に記録するように構成されており、
上記記憶部に記録される該出力パラメータの値の入力を受け付ける入力受付手段をさらに備えている、ことを特徴とするテレビジョン受像機。
【請求項９】
録画済みのコンテンツの映像を出力部から出力する出力制御装置の出力制御方法において、
上記コンテンツを再生する再生工程と、
コンテンツ毎に、当該コンテンツの再生の度に上記出力制御装置に設定される出力パラメータであってその設定値に応じて上記出力制御装置が上記出力部からの出力を制御する出力パラメータを、当該コンテンツの出力パラメータとして、記憶部に記録する記録工程と、
ユーザからの更新指示に基づいて、上記記憶部に記録されている出力パラメータをコンテンツ毎に個別に更新する更新工程と、
上記コンテンツ毎に、当該コンテンツを識別する識別情報と当該コンテンツの出力パラメータとを表示部に表示するパラメータ表示制御工程と、を含み、
上記パラメータ表示制御工程は、上記コンテンツ毎に、当該コンテンツを識別する識別情報と当該コンテンツの出力パラメータとの一方または両方を、当該コンテンツの再生時に当該コンテンツの出力パラメータが上記出力制御装置に自動的に設定されたか否かに依って異なる表示態様で表示する工程である、ことを特徴とする出力制御方法。
【請求項１０】
録画済みのコンテンツの映像を出力部から出力する出力制御装置であって上記録画済みのコンテンツの一覧を示す録画リスト画面を表示可能な出力制御装置における出力制御方法において、
上記コンテンツを再生する再生工程と、
コンテンツ毎に、当該コンテンツの再生の度に上記出力制御装置に設定される出力パラメータであってその設定値に応じて上記出力制御装置が上記出力部からの出力を制御する出力パラメータを、当該コンテンツの出力パラメータとして、記憶部に記録する記録工程と、
ユーザからの更新指示に基づいて、上記記憶部に記録されている出力パラメータをコンテンツ毎に個別に更新する更新工程と、
上記録画リスト画面内のユーザに指定されるタイトルについてそのサムネイル動画を再生するか否かの設定を受け付ける設定受付工程と、
上記録画リスト画面の表示時に、上記出力制御装置に設定される音量パラメータの値を、上記録画リスト画面の表示前よりも小さくする設定変更工程と、を含み、
上記設定変更工程において、上記録画リスト画面の表示時に上記設定がサムネイル動画を再生する設定になっている場合に、上記音量パラメータの値を小さくする、ことを特徴とする出力制御方法。
【請求項１１】
請求項１から６のいずれか１項に記載の出力制御装置の各手段としてコンピュータを機能させることを特徴とする出力制御プログラム。
【請求項１２】
請求項１１に記載の出力制御プログラムを記録したコンピュータ読み取り可能な記録媒体。
【発明の詳細な説明】
【技術分野】
【０００１】
本発明は、映像または音声の出力を制御する出力制御装置、出力制御方法および出力制御プログラムに関する。また、本発明は、出力制御プログラムが記録されている記録媒体に関する。
【背景技術】
【０００２】
昨今のテレビジョン受像機は、再生するテレビ番組のジャンルに適するように明るさやコントラスト等の各種画質パラメータを一括設定するための画質モード機能を備えている。そのようなテレビジョン受像機の中には、放送中または録画済みのテレビ番組を再生する際に、そのテレビ番組のジャンルに適するように自動的に画質モードを切り替える機能を備えたものも存在する。
【０００３】
また、一般的に、テレビジョン受像機は、各種画質パラメータを視聴者が細かく調整可能な設計となっている。そのため、視聴者は、視聴するテレビ番組の画質が自身の好む最適な画質になるように各種画質パラメータを調整することも可能である。
【０００４】
ところで、視聴者が特に画質に拘りを持っている場合、番組を視聴するたびにその番組に合った画質になるように画質パラメータを調整することが想定される。さらに、視聴者が、録画済みの番組Ａを視聴し、その後に番組Ｂを視聴し、さらに番組Ａを再度視聴するといった状況も想定される。この場合、視聴者は、番組Ａの最初の視聴時に画質パラメータを適切に調整したにも関わらず、番組Ａを再度視聴する際に画質パラメータを再度同じように設定することに煩わしさを感じると考えられる。
【０００５】
特許文献１には、録画予約する番組毎にその番組の再生時に使用する画質パラメータを設定可能な放送信号記録再生装置が開示されている。特許文献１の放送信号記録再生装置は、録画予約する番組について視聴者が指定した画質パラメータを記録媒体に記録し、録画されたその番組を再生するたびに、記録媒体の画質パラメータに基づいて画質を変更する。そのため、特許文献１の放送信号記録再生装置は、指定された画質パラメータが適切であれば、同じ番組を再生するたびに視聴者に画質パラメータを調整させることなく、再生する番組を視聴者の好みに合った画質にすることができる。
【０００６】
ただし、特許文献１に記載の上記構成では、視聴者が、録画予約時に番組の映像を実際に見ることなく画質パラメータを指定するため、その番組の再生中に画質が気に入らずに画質パラメータを再調整することも想定される。
【先行技術文献】
【特許文献】
【０００７】
【特許文献１】特開２００６−２２２７７３号公報（２００６年４月２４日公開）
【特許文献２】特開２００６−１８８５９号公報（２００６年１月１９日公開）
【発明の概要】
【発明が解決しようとする課題】
【０００８】
しかしながら、特許文献１に記載の上記構成では、再生中の番組の画質パラメータを再調整したとしても、再調整後の画質パラメータは記録媒体に記録されない。そのため、番組の録画予約時に指定された画質パラメータが適切でなかった場合には、視聴者は、満足が行く画質を得るために、その番組を再生するたびに画質パラメータを調整しなければならない。
【０００９】
また、視聴者が、番組の録画予約時に指定された画質パラメータが適切で最初は画質に満足していたものの、画質に対する拘りが一層強くなって次第に画質に不満を覚えるようになることも想定される。この場合、その視聴者は、不満を覚えてからはその番組を再生するたびに画質パラメータを調整しなければならなくなる。
【００１０】
一方、特許文献２に記載のDVD再生装置は、挿入されたDVDのコンテンツの再生設定条件が記録部に記録されていない場合、その再生設定条件をユーザに設定させ、再生設定条件が記録部に記録されている場合にはその再生設定条件でコンテンツを再生する。そして、特許文献２に記載のDVD再生装置は、再生設定条件が記録部に記録されている場合にその再生設定条件を編集（変更）可能に構成されている。
【００１１】
しかしながら、特許文献２のDVD再生装置は、録画予約機能を備えていないし、他の装置で録画予約時に指定された画質パラメータを編集（変更）することもできない。
【００１２】
本発明は、上記課題に鑑みて成されたものであり、その主な目的は、同一コンテンツ（映像コンテンツ等）の再生の度に鑑賞者に出力制御用のパラメータ（画質パラメータ等）を調整させることなく自装置で録画したそのコンテンツの映像をいつまでも鑑賞者が満足する質で出力させることが可能な出力制御装置を実現することにある。
【課題を解決するための手段】
【００１３】
本発明の一態様に係る出力制御装置は、上記課題を解決するために、自装置で録画済みのコンテンツの映像を出力部から出力する出力制御装置において、上記コンテンツを再生する再生手段と、コンテンツ毎に、当該コンテンツの再生の度に上記出力制御装置に設定される出力パラメータであってその設定値に応じて上記出力制御装置が上記出力部からの出力を制御する出力パラメータを、当該コンテンツの出力パラメータとして、記憶部に記録する記録手段と、ユーザからの更新指示に基づいて、上記記憶部に記録されている出力パラメータをコンテンツ毎に個別に更新する更新手段と、を備え、上記記録手段は、上記コンテンツの出力パラメータを、当該コンテンツの録画時または録画予約時に上記記憶部に記録する、ことを特徴としている。
【００１４】
本発明の一態様に係る出力制御方法は、上記課題を解決するために、自装置で録画済みのコンテンツの映像を出力部から出力する出力制御装置の出力制御方法において、上記コンテンツを再生する再生工程と、コンテンツ毎に、当該コンテンツの再生の度に上記出力制御装置に設定される出力パラメータであってその設定値に応じて上記出力制御装置が上記出力部からの出力を制御する出力パラメータを、当該コンテンツの出力パラメータとして、記憶部に記録する記録工程と、ユーザからの更新指示に基づいて、上記記憶部に記録されている出力パラメータをコンテンツ毎に個別に更新する更新工程と、を含み、上記記録工程は、上記コンテンツの出力パラメータを、当該コンテンツの録画時または録画予約時に上記記憶部に記録する工程である、ことを特徴としている。
【発明の効果】
【００１５】
以上のように、本発明の一態様に係る出力制御装置は、自装置で録画済みのコンテンツの映像を出力部から出力する出力制御装置において、上記コンテンツを再生する再生手段と、コンテンツ毎に、当該コンテンツの再生の度に上記出力制御装置に設定される出力パラメータであってその設定値に応じて上記出力制御装置が上記出力部からの出力を制御する出力パラメータを、当該コンテンツの出力パラメータとして、記憶部に記録する記録手段と、ユーザからの更新指示に基づいて、上記記憶部に記録されている出力パラメータをコンテンツ毎に個別に更新する更新手段と、を備え、上記記録手段は、上記コンテンツの出力パラメータを、当該コンテンツの録画時または録画予約時に上記記憶部に記録する、ことを特徴としている。
【００１６】
上記の構成によれば、本発明の一態様に係る出力制御装置は、ユーザ（例えば、鑑賞者）からの上記更新指示があるまでは、自装置で録画済みのコンテンツを再生するたびに、上記記憶部に記録されている当該コンテンツの出力パラメータの設定値に応じて上記出力部からの映像の出力を制御する。
【００１７】
また、上記の構成によれば、本発明の一態様に係る出力制御装置は、鑑賞者から、上記更新指示があると、当該更新指示に基づいて、上記記憶部に記録されているコンテンツの出力パラメータを更新する。そして、本発明の一態様に係る出力制御装置は、その後に当該コンテンツを再生するたびに、更新後の出力パラメータの設定値に応じて出力部からの映像の出力を制御する。そして、鑑賞者が満足行くまで上記更新指示を繰り返した後は、本発明の一態様に係る出力制御装置は、コンテンツの出力の度に鑑賞者に出力パラメータの設定値を調整させることなく、そのコンテンツの映像を鑑賞者が満足する質で出力できる。
【００１８】
したがって、本発明の一態様に係る出力制御装置は、同一コンテンツの再生の度に鑑賞者に出力制御用のパラメータを調整させることなく、自装置で録画したそのコンテンツの映像をいつまでも鑑賞者が満足する質で出力できるという効果を奏する。
【００１９】
本発明の一態様に係る出力制御方法は、上記課題を解決するために、自装置で録画済みのコンテンツの映像を出力部から出力する出力制御装置の出力制御方法において、上記コンテンツを再生する再生工程と、コンテンツ毎に、当該コンテンツの再生の度に上記出力制御装置に設定される出力パラメータであってその設定値に応じて上記出力制御装置が上記出力部からの出力を制御する出力パラメータを、当該コンテンツの出力パラメータとして、記憶部に記録する記録工程と、ユーザからの更新指示に基づいて、上記記憶部に記録されている出力パラメータをコンテンツ毎に個別に更新する更新工程と、を含み、上記記録工程は、上記コンテンツの出力パラメータを、当該コンテンツの録画時または録画予約時に上記記憶部に記録する工程である、ことを特徴としている。
【００２０】
上記の構成によれば、本発明の一態様に係る出力制御方法は、本発明の一態様に係る出力制御装置と同様に、同一コンテンツの再生の度に鑑賞者に出力制御用のパラメータを調整させることなく、自装置で録画したそのコンテンツの映像をいつまでも鑑賞者が満足する質で出力できるという効果を奏する。
【図面の簡単な説明】
【００２１】
【図１】図１は、ＵＳＢ−ＨＤドライブが接続されているテレビのシステムの要部構成を示すブロック図である。
【図２】図１のシステムの外観を示す外観図である。
【図３】図３は、図１のシステムの一部を詳細に示したブロック図である。
【図４】図１のテレビの再生処理動作を示すフローチャート図である。
【図５】図５は、ＵＳＢ−ＨＤドライブ内のデータの内容を模式的に例示した図である。
【図６】図６は、ＵＳＢ−ＨＤドライブ内のデータの内容を模式的に例示した図である。
【図７】図７は、ＵＳＢ−ＨＤドライブ内のデータの内容を模式的に例示した図である。
【図８】図８は、ＵＳＢ−ＨＤドライブ内のデータの内容を模式的に例示した図である。
【図９】図９は、ＵＳＢ−ＨＤドライブ内のデータの内容を模式的に例示した図である。
【図１０】図１０は、図１のテレビが再生可能な各コンテンツの出力パラメータの値を含むパラメータ確認画面を例示した図である。
【図１１】図１１は、録画済みコンテンツの再生中、録画リスト画面の表示中、および、テレビ放送番組または外部入力映像の表示中の各状態における、図１のテレビの画質パラメータおよび音声パラメータの設定値を例示した図である。
【図１２】図１２は、図１のテレビが表示する録画リスト画面を例示した図である。
【発明を実施するための形態】
【００２２】
本発明の実施形態について、図面に基づいて説明すれば以下のとおりである。なお、以下の説明においては、映像出力制御装置としてテレビジョン受像機（以下「テレビ」と呼称する）を例示するが、本発明はこれに限定されるものではない。すなわち、テレビは、映像出力制御装置として機能する機器の一例に過ぎない。
【００２３】
〔テレビの構成〕
テレビ１の構成について、図１〜図３を参照して説明する。図１は、ＵＳＢ−ＨＤドライブ（ＵＳＢ―ＨＤＤ）２が接続されているテレビ１のシステム構成を示すブロック図であり、図２は、システムの外観を示す外観図である。また、図３は、主に、テレビ１のシステムの一部分の構成を詳細に示した図である。
【００２４】
図１に示すように、テレビ１は、入力端子１０１（映像入力端子１０１ａおよび音声入力端子１０１ｂ）、地上デジタル放送チューナ１０２、衛星放送チューナ１０３、ＢＤドライブ１０５、映像セレクタ１０６、映像処理回路１０７、ＯＳＤ生成部１０８、ＬＣＤコントローラ１０９、ＬＣＤ（Liquid Crystal Display）１１０、音声セレクタ１１１、音声処理回路１１２、アンプ１１３、スピーカ１１４、ＵＳＢインターフェース１１５、ＲＯＭ１１６、ＲＡＭ１１７、ＣＰＵ１１８、赤外線受光部１１９、カメラ１２０、ＨＤドライブ１２１を備えている。図１においては、映像信号の経路を実線で、音声信号の経路を１点鎖線で、データや制御信号の経路（バス）を太線で示している。
【００２５】
（１）映像入力端子１０１ａから入力された映像、（２）地上デジタル放送チューナ１０２が受信した映像、及び、（３）衛星放送チューナ１０３が受信した映像は、それぞれ、映像セレクタ１０６に供給される。また、（１）音声入力端子１０１ｂから入力された音声、（２）地上デジタル放送チューナ１０２が受信した音声、及び、（３）衛星放送チューナ１０３が受信した音声は、それぞれ、音声セレクタ１１１に供給される。
【００２６】
なお、（ａ）地上デジタル放送チューナ１０２が何れのチャンネルを介して伝送されたコンテンツを受信するか、（ｂ）衛星放送チューナ１０３が何れのチャンネルを介して伝送されたコンテンツを受信するかを決める選択制御は、ＣＰＵ１１８によって行われる。また、（ｃ）ＢＤドライブ１０５に装填されているＢＤ（例えば、ＢＤＭＶ規格に従ってデータが記録されるＢＤ−ＲＯＭ）のコンテンツに対する再生、停止、早送り、巻戻し、チャプタ遷移などの再生制御も、ＣＰＵ１１８によって行われる。
【００２７】
映像セレクタ１０６は、（１）映像入力端子１０１ａから供給された映像、（２）地上デジタル放送チューナ１０２から供給された映像、及び、（３）衛星放送チューナ１０３から供給された映像のうちの何れか１つを選択する。映像セレクタ１０６によって選択された映像は、映像処理回路１０７に供給される。なお、映像セレクタ１０６が何れの映像を選択するかは、ＣＰＵ１１８によって制御される。
【００２８】
映像処理回路１０７は、映像セレクタ１０６またはＣＰＵ１１８から供給された映像の画質を調整する。また、映像処理回路１０７は、映像セレクタ１０６またはＣＰＵ１１８から供給された映像をスケーリングする。ここで、画質の調整とは、明るさ、コントラスト等からなる画質パラメータ群のうちの少なくともいずれかの画質パラメータの設定値を変化させることを指す。また、スケーリングとは、表示すべき映像本来のアスペクト比を保ったままサイズを縮小することを指す。映像処理回路１０７によって画質調整とスケーリングとを施された映像は、ＬＣＤコントローラ１０９に供給される。なお、映像処理回路１０７が画質をどのように変化させるかは、ＣＰＵ１１８によって、メモリ１１７に記録されている画質パラメータ群の各設定値に基づいて制御される。また、映像をどの程度縮小するかも、ＣＰＵ１１８によって制御される。
【００２９】
ＬＣＤコントローラ１０９は、映像処理回路１０７から供給された映像が表示されるようにＬＣＤ１１０を駆動する。これにより、映像セレクタ１０６により選択された映像がＬＣＤ１１０から出力される。なお、ＯＳＤ生成部１０８からＯＳＤ画像が供給されている場合、ＬＣＤコントローラ１０９は、ＯＳＤ生成部１０８から供給されたＯＳＤ画像を映像処理回路１０７から供給された映像に重ねて表示する。
【００３０】
音声セレクタ１１１は、映像入力端子１０１ａから供給された音声、地上デジタル放送チューナ１０２から供給された音声、及び、衛星放送チューナ１０３から供給された音声のうちの何れか１つを選択する。音声セレクタ１１１によって選択された音声は、音声処理回路１１２に供給される。なお、音声セレクタ１１１が何れの音声を選択するかは、ＣＰＵ１１８によって制御される。ただし、映像セレクタ１０６における映像の選択と、音声セレクタ１１１における音声の選択と、は連動しており、例えば、映像セレクタ１０６が地上デジタル放送チューナ１０２から供給された映像を選択しているときには、音声セレクタ１１１も地上デジタル放送チューナ１０２から供給された音声を選択する。
【００３１】
音声処理回路１１２は、音声セレクタ１１１から供給された音声の音量及び音質を調整する。ここで、音質の調整とは、音声セレクタ１１１から供給された音声の周波数特性を変化させること（例えば、低域の強調や高域の強調など）を指す。音声処理回路１１２によって音量及び音質を調整された音声は、デジタルアンプ１１３に供給される。なお、音声処理回路１１２によって音量及び音質をどのように変化させるかは、ＣＰＵ１１８によって、制御される。
【００３２】
アンプ１１３は、音声処理回路１１２から供給された音声が出力されるようにスピーカ１１４を駆動する。これにより、音声セレクタ１１１により選択された音声がスピーカ１１４から出力される。
【００３３】
ＣＰＵ１１８は、赤外線受光部１１９が受信したリモコン信号、および、カメラ１２０が撮像した画像に応じて上記各部を制御する。赤外線受光部１１９を用いた制御としては、例えば、ＲＡＭ１１７に記録されている画質パラメータ群をリモコン信号（画質設定指示）に応じた値に設定する制御や、チューナ１０４にて選択するチャンネルをリモコン信号に応じて切り替える制御、映像セレクタ１０６及び音声セレクタ１１１にて選択する映像及び音声をリモコン信号に応じて切り替える制御などが挙げられる。また、カメラ１２０を用いた制御としては、例えば、映像処理回路１０７において画質をどのように調整するかを、撮像した画像に基づいて特定した視聴者に応じて切り替える制御などが挙げられる。
【００３４】
ＲＯＭ１１６は、ＣＰＵ１１８によって実行されるプログラムなどの固定データが格納される、読み出し可能かつ書き込み不能なメモリである。ＯＳＤ画像を生成するためにＯＳＤ生成部１０８が参照するＪＰＥＧデータやＳＶＧ（Scalable Vector Graphics）データなども、このＲＯＭ１１６に格納される。一方、ＲＡＭ１１７は、ＣＰＵ１１８が演算のために参照するデータ（例えば、前述の画質パラメータ群）、及び、ＣＰＵ１１８が演算によって生成したデータなどの可変データが格納される、読み出し可能かつ書き込み可能なメモリである。
【００３５】
ＵＳＢインターフェース１１５は、外部のＵＳＢストレージを接続するためのインターフェースである。
【００３６】
以上、テレビ１の全体構成について説明したが、図１に示すように、本実施形態では、外部のＵＳＢストレージとしてＵＳＢ−ＨＤＤ２が接続されている。図２はテレビ１とＵＳＢ−ＨＤＤ２とからなるシステムの外観を模式的に示した図であるが、テレビ１とＵＳＢ−ＨＤＤ２とは、ＵＳＢケーブル３を介して接続されている。
【００３７】
次に、図３を参照しながら、テレビ１の特徴的な部分についてさらに詳細に説明する。図３は、図１のテレビ１のブロック図からテレビ１の特徴的な部分に関連する部分を抽出してさらに詳細に示したブロック図である。
【００３８】
図３に示すように、テレビ１のＣＰＵ１１８は、録画再生プログラムによりコンテンツの録画および再生を行う録画再生手段１１８１と、パラメータ処理プログラムによりパラメータを処理するパラメータ処理手段１１８２と、を有している。
【００３９】
録画再生手段１１８１（すなわち、録画再生プログラムのタスクを処理中のＣＰＵ１１８）は、ユーザから録画指示を受け付けたコンテンツ（具体的には、番組コンテンツ）をＵＳＢ−ＨＤＤ２に録画する。また、録画再生手段１１８１は、ユーザから再生指示を受け付けたコンテンツ（具体的には、ＵＳＢ−ＨＤＤ内に録画された番組コンテンツ、またはＢＤドライブ１０５内のＢＤに収録されている、映像コンテンツ、ゲームコンテンツ等のＢＤコンテンツ）を再生してコンテンツの映像信号を映像処理回路１０７に供給する。
【００４０】
パラメータ処理手段１１８２（すなわち、パラメータ処理プログラムのタスクを処理中のＣＰＵ１１８）は、映像処理回路１０７がＲＡＭ１１７に記録されている画質パラメータ群の設定値に応じた映像の調整を常に行うように、映像処理回路１０７を制御する。
【００４１】
また、パラメータ処理手段１１８２は、録画再生手段１１８１がコンテンツを初めて再生する際に、その時点でＲＡＭ１１７に記録されている画質パラメータ群をＵＳＢ−ＨＤＤ２内のデータベース（以下、「ＤＢ」とも呼称する）に記録する。具体的には、パラメータ処理手段１１８２は、パラメータ群を、初めて再生されるコンテンツの識別子に関連付けて画質パラメータ群を記録する。
【００４２】
より具体的には、初めて再生されるコンテンツが番組コンテンツの場合、パラメータ処理手段１１８２は、番組コンテンツの録画データから番組ＩＤを読み出して、番組ＩＤとパラメータ群とを関連付けてＤＢに記録する。また、初めて再生されるコンテンツがＢＤコンテンツの場合、パラメータ処理手段１１８２は、ＢＤドライブ１０５に装填されているＢＤ（ＢＤコンテンツが収録されているＢＤ）のメディアＩＤとパラメータ群とを関連付けてＤＢに記録する。
【００４３】
さらに、パラメータ処理手段１１８２は、録画再生手段１１８１がコンテンツを２度目以降に再生する際には、そのコンテンツの番組ＩＤを参照する。そして、パラメータ処理手段１１８２は、ＤＢ内にそのコンテンツの番組ＩＤと関連づけられて記録されている各画像パラメータ（以下、必要に応じて、「コンテンツの画質パラメータ」、「番組の画質パラメータ」等と略称する）群の値により、ＲＡＭ１１７に記録されているパラメータ群の各設定値を更新する。
【００４４】
次に、ユーザから録画済みコンテンツの再生指示を受け付けたときのテレビ１の再生処理動作について、図４および図５を参照しながら説明する。
【００４５】
図４は、テレビ１の再生処理動作を示すフローチャート図である。また、図５の（ａ）〜（ｄ）は、コンテンツの録画開始時、録画完了時、再生開始時、および、再生中における画質パラメータの設定受け付け時の各時点における、ＵＳＢ−ＨＤＤ２内のデータの内容を模式的に例示した図である。
【００４６】
具体的には、図５の（ａ）は、ＵＳＢ−ＨＤＤ２に、番組ＩＤが“番組ＩＤ１”であるコンテンツ１が録画されていることを示している。そして、図５の（ａ）は、コンテンツ１とメディアＩＤが“メディアＩＤ１”であるＢＤとの各々について、再生時にテレビ１に設定される画質パラメータ群がＤＢに記録されている、ことを示している。そして、図５の（ｂ）は、ＵＳＢ−ＨＤＤ２に、コンテンツ１と番組ＩＤが“番組ＩＤ２”であるコンテンツ２が録画されていることを示している。
【００４７】
また、図５の（ｂ）は、コンテンツ１とメディアＩＤが“メディアＩＤ１”であるＢＤとの各々について、再生時にテレビ１に設定される画質パラメータ群がＤＢに記録されている、ことを示している。そして、図５（ｂ）は、コンテンツ２の再生時にテレビ１に設定される画質パラメータ群を格納すべきレコードがＤＢ内に登録されていることを示している。図中におけるレコード内の「Ｎ／Ａ」は、所定の無効値（画質パラメータとしては有効でないヌル値、「−１」などの値）を便宜的に示したものである。
【００４８】
図５の（ａ）および（ｂ）について説明したが、図５の（ｃ）および（ｄ）が示す内容も、図５の（ａ）および（ｂ）の説明から容易に理解できると考えられるため、ここでは説明を省略する。また、図５（図３、図６〜図８も同様）における識別子の表記（例えば、“番組ＩＤ１”、“メディアＩＤ１”）および明るさ等の画質パラメータの表記は図面の理解を容易にするための便宜的なものであり、実際には識別子および画質パラメータとして数値が使用される。
【００４９】
以下、録画済みコンテンツの再生指示を受け付けたときのテレビ１の動作について説明する。
【００５０】
図４に示すように、テレビ１が録画済みコンテンツの再生指示を受け付けると、パラメータ処理手段１１８２は、そのコンテンツ（以下、「再生対象番組」とも称する）の番組ＩＤを、ＵＳＢ−ＨＤＤ２内の再生対象番組の録画データを参照して読み出す。そして、パラメータ処理手段１１８２は、読み出された番組ＩＤについて画質パラメータがＤＢに記録されているか否かを判定する（Ｓ１）。例えば、コンテンツ２の再生指示を受け付けると、「識別子」フィールドの値が“番組ＩＤ２”であるレコードにおける画質パラメータに関する各フィールド値が画質パラメータとして有効な値であるか否かを判定する。
【００５１】
パラメータ処理手段１１８２は、ＤＢに画質パラメータが記録されていると判定した場合（Ｓ１において「ＹＥＳ」）、ＲＡＭ１１７に記録されている各画質パラメータの設定値を、ＤＢに記録されている再生対象番組の各画質パラメータの値に変更する（Ｓ２）。
【００５２】
一方、パラメータ処理手段１１８２は、ＤＢに画質パラメータが記録されていないと判定した場合（Ｓ１において「ＮＯ」）、再生対象番組の各画質パラメータの値として、ＲＡＭ１１７に記録されている各画質パラメータの設定値をＤＢに記録する（Ｓ３）。例えば、図５（ｂ）に例示したようにコンテンツ２の画質パラメータが記録されていない場合、「識別子」フィールドの値が“番組ＩＤ２”であるレコードの画質パラメータに関する各フィールド値として、各画質パラメータの設定値を記録する。
【００５３】
Ｓ３の後、録画再生手段１１８１は、再生対象番組の再生を開始し、変更後の各画質パラメータの値に応じた映像の調整を行うように映像処理回路１０７を制御する（Ｓ４）。
【００５４】
Ｓ４の後、再生期間が満了する（Ｓ７においてＹＥＳ）までの間、録画再生手段１１８１は、再生対象番組の再生を継続する。
【００５５】
再生対象番組の再生中に画質パラメータの設定変更があった場合（Ｓ５において“ＹＥＳ”）、パラメータ処理手段１１８２は、ＲＡＭ１１７に記録された設定変更後の各画質パラメータの設定値と同一になるように、ＤＢに記録されている再生対象番組の各画質パラメータの値を更新する（Ｓ６）。例えば、図５の（ｃ）と（ｄ）とを比べるとわかるように、コンテンツ２の再生中にコントラストの設定値が“Ｂ２”から“Ｂ２’”に変更された場合、パラメータ処理手段１１８２は、「識別子」フィールドの値が“番組ＩＤ２”であるレコードにおける「コントラスト」フィールドの値を“Ｂ２”から“Ｂ２’”に更新する。
【００５６】
録画再生手段１１８１は、再生期間が満了する（Ｓ７においてＹＥＳ）と、再生対象番組の再生処理を終了する。
【００５７】
なお、ユーザからＢＤドライブ１０５内のＢＤの再生指示を受け付けた場合、テレビ１のパラメータ処理手段１１８２は、そのＢＤのメディアＩＤをＢＤのバーストカッティングエリア（ＢＣＡ）から読み出し、読み出されたメディアＩＤについて画質パラメータがＤＢに記録されているか否かを判定する。その後、テレビ１は、上述したＳ２〜Ｓ７と同様の処理を実行する。
【００５８】
また、パラメータ処理手段１１８２は、Ｓ１にてＤＢに画質パラメータが記録されていないと判定した場合、Ｓ４における再生対象番組の再生開始の前でなく、再生開始時または再生開始時から所定の時間が経過した時点で、Ｓ３の処理を行ってもよい。そして、テレビ１は、その後にＳ５以降の処理を行ってもよい。
【００５９】
（録画リスト画面表示中、並びに、テレビ映像または外部入力映像の表示中における画質および音声について）
テレビ１は、録画済みの各コンテンツのタイトルが一覧表示された録画リスト画面を表示し、タイトル一覧の中からユーザによりカーソルで指定されたタイトルのサムネイル動画を再生するように構成されていてもよい。また、テレビ１は、タイトルがカーソルで指定されている状態でリモコンの決定ボタンの押下を検出した場合、録画リスト画面の表示を終了させ、そのタイトルの動画をフルスクリーン再生するように構成されていてもよい。
【００６０】
さらに、テレビ１は、カーソルで指定されるタイトルのサムネイル動画を再生するか否かをユーザが設定可能に構成されていてもよい。すなわち、テレビ１は、サムネイル表示が“有効”に設定されている場合にはカーソルで指定されたタイトルのサムネイル動画を再生してもよい。テレビ１は、サムネイル表示が“無効”に設定されている状態でタイトルがカーソルで指定されても、サムネイル動画を再生しないように構成されていてもよい。
【００６１】
この場合のテレビ１について、図１１および図１２を参照しながら説明する。
【００６２】
図１１は、録画済みコンテンツの再生中、録画リスト画面の表示中、および、テレビ放送番組または外部入力映像の表示中の各状態における、テレビ１の画質パラメータおよび音声パラメータの設定値を例示した図である。また、図１２は、録画リスト画面を例示した図である。なお、図１２における、ManaU対Aasenaのサッカーの試合のシーンは、タイトル「○○スポーツ」がカーソルで指定されたときに再生されるサムネイル動画中の１シーンである。
【００６３】
テレビ１のパラメータ処理手段１１８２は、テレビ入力、および、外部入力の各入力について、入力される映像および音声に関する各出力パラメータの値の入力をユーザから受け付けるためのＵＩ画面を表示する。テレビ１は、赤外線受光部１１９を通じてリモコンを用いた入力を受け付けると、パラメータ処理手段１１８２が、各出力パラメータの値と、その入力の入力名と、を関連付けてＤＢに記録する。本実施形態では、テレビ入力の入力名を“テレビ”とし、外部入力の入力名を“外部入力”とするが、これは一例に過ぎない。例えば、外部入力がＨＤＭＩ入力である場合には、外部入力の入力名は“ＨＤＭＩ入力”であってもよい。
【００６４】
（テレビ映像または外部入力映像の表示中における画質および音声について）
録画再生手段１１８１が録画済みコンテンツを再生している間に映像入力がテレビに切り替わると、パラメータ処理手段１１８２は、ＤＢ内に入力名“テレビ”と関連付けて記録されている各出力パラメータの値を読み出す。そして、パラメータ処理手段１１８２は、読み出した各出力パラメータの値を用いて、ＲＡＭ１１７に記録されているパラメータ群の各設定値を更新する。録画リスト画面の表示中に映像入力がテレビに切り替わった場合も同様である。
【００６５】
これにより、テレビ１は、放送中のテレビ番組を再生している間、入力名“テレビ”と関連付けられている各画質パラメータの値に応じた映像を表示し、入力名“テレビ”と関連付けられている各音声パラメータの値に応じた音声を出力する。
【００６６】
同様に、録画再生手段１１８１が録画済みコンテンツを再生している間に入力が外部入力に切り替わると、パラメータ処理手段１１８２は、ＤＢ内に入力名“外部入力”と関連付けて記録されている各出力パラメータの値を読み出す。そして、パラメータ処理手段１１８２は、読み出した各出力パラメータの値を用いて、ＲＡＭ１１７に記録されているパラメータ群の各設定値を更新する。録画リスト画面の表示中に映像入力が外部入力に切り替わった場合も同様である。
【００６７】
これにより、テレビ１は、外部入力映像を再生している間、入力名“外部入力”と関連付けられている各画質パラメータの値に応じた画質の映像を表示し、入力名“外部入力”と関連付けられている各音声パラメータの値に応じた音声を出力する。
【００６８】
以上のように、テレビ１は、テレビ番組を再生する際に参照する出力パラメータと外部入力映像を再生する際に参照する出力パラメータとを独立して設定可能に構成されている。したがって、テレビ１は、録画済みコンテンツの鑑賞後にテレビ番組または外部入力映像を鑑賞するユーザに画質設定および音声設定を変更させることなく、画質設定および音声設定の設定値をユーザが所望する設定値に自動的に変更することができる。
【００６９】
なお、テレビ１は、地上デジタル放送番組を再生する際に参照する出力パラメータと衛星放送番組を再生する際に参照する出力パラメータとを独立して設定可能に構成されていてもよい。また、テレビ１は、複数の外部入力端子（Ｓ端子、Ｄ端子、ＨＤＭＩ入力端子等）を備え、切り替え可能な外部入力毎に、その入力に切り替えられ、その入力の映像を再生する際に参照する出力パラメータを独立して設定可能に構成されていてもよい。
【００７０】
（録画リスト画面表示中における画質および音声について）
テレビ１は、図１２に示すような録画リスト画面を表示させる旨の指示を録画済みコンテンツの再生中に受け付けた場合、指示を受け付ける前と同じ画質の録画リスト画面を表示する。同様に、テレビ１は、録画リスト画面を表示させる旨の指示を外部入力映像または放送中のテレビ番組を再生している間に受け付けた場合にも、指示を受け付ける前と同じ画質の録画リスト画面を表示する。
【００７１】
一方、テレビ１は、サムネイル表示が“無効”に設定されている状態で上記指示を受け付けた場合にはテレビ1の音量設定を変更しないが、サムネイル表示が“有効”に設定されている状態で上記指示を受け付けた場合には設定値が小さくなるようにテレビ1の音量設定を変更する。
【００７２】
具体的には、サムネイル表示が“有効”に設定されている状態でテレビ１が上記指示を受け付けた場合、パラメータ処理手段１１８２が、テレビ１のＲＡＭ１１７に記録されている音量パラメータの値が小さくなるように音量パラメータの値を更新する。
【００７３】
対応する映像モードパラメータ、音量パラメータおよび字幕パラメータの値が、それぞれ、“ムービー”、“３０”、“英語”である録画済みコンテンツの再生中にテレビ１が録画リスト画面を表示する旨の指示を受け付ける例を挙げる。この例において、サムネイル表示が“有効”に設定されている状態でテレビ１が指示を受け付けた場合、パラメータ処理手段１１８２は、図１１に示すように、音量パラメータの設定値のみを“３０”から、規定値である“１０”に減らす。あるいは、パラメータ処理手段１１８２は、音量パラメータの設定値のみを“０”に更新することにより、テレビ１を「ミュート」の状態にしてもよい。
【００７４】
これにより、テレビ１は、ユーザに、サムネイル動画の再生時に音量が高いことによる煩わしさを感じさせることなく、録画リスト画面の中から再生したいコンテンツのタイトルを見つけ出させることができる。
【００７５】
また、テレビ１は、サムネイル表示が“無効”に設定されている状態で上記指示を受け付けた場合には、テレビ１の設定を一切変更しないため、短い時間で録画リスト画面を表示することができる。さらに、テレビ１は、サムネイル表示が“有効”に設定されている状態で上記指示を受け付けた場合にも、設定を変更するのは音量のみであるため、短い時間で録画リスト画面を表示することができる。
【００７６】
なお、テレビ１は、サムネイル表示を“有効”にするか“無効”にするかの設定を、赤外線受光部１１９を通じて受け付けてもよい。また、テレビ１は、サムネイル表示が“有効”に設定されている状態で上記指示を受け付けた場合にはテレビ1の画角の設定を変更してもよい。
【００７７】
（テレビ１の利点）
以上のように、テレビ１では、録画再生手段１１８１が再生対象番組を再生する。また、テレビ１では、パラメータ処理手段１１８２が、番組毎に、当該番組の再生の度に設定される画質パラメータであってその設定値に応じてテレビ１がＬＣＤ１１０（特許請求の範囲の「表示部」に対応）の表示を制御する画質パラメータをＵＳＢ―ＨＤＤ２に記録する。
【００７８】
パラメータ処理手段１１８２は、ＵＳＢ―ＨＤＤ２に記録されている再生中の番組の各画質パラメータを、視聴者による変更後の各画質パラメータの設定値で更新する。
【００７９】
上記の構成によれば、視聴者が再生対象番組の再生中に各画質パラメータの設定値を映像の画質を見ながら適切だと思う値に変更すると、テレビ１は、ＵＳＢ―ＨＤＤ２に記録されている再生対象番組の各画質パラメータの値を、変更後の各設定値で更新する。そして、テレビ１は、その後の再生対象番組の再生時には、ＵＳＢ―ＨＤＤ２に記録されている更新後の各値に応じた視聴者が満足する画質で再生対象番組の映像を表示する。
【００８０】
その後、視聴者が、画質に対する拘りが一層強くなるなどの理由で再生対象番組の画質に満足しなくなったために、再生対象番組の再生中に各画質パラメータの設定値を再度変更することが想定される。視聴者が適切だと思う値に各設定値が再度変更されると、テレビ１は、ＵＳＢ―ＨＤＤ２に記録されている再生対象番組の各画質パラメータの値を、変更後の各設定値で更新する。そして、テレビ１は、その後の再生対象番組の再生時には、ＵＳＢ―ＨＤＤ２に記録されている更新後の各値に応じた視聴者が満足する画質で再生対象番組の映像を表示する。
【００８１】
したがって、テレビ１は、再生対象番組の再生の度に視聴者に画質パラメータの設定値を調整させることなく、その番組の映像をいつまでも視聴者が満足する画質で表示できる。
【００８２】
（付記事項１）
なお、上記実施形態では、再生対象番組の初回の再生開始時にテレビ１に設定されている各画質パラメータの値を再生対象番組の識別子に関連づけてＤＢに記録するものとしたが、本発明はこれに限定されない。例えば、テレビ１は、番組の録画時にテレビ１に設定されている各画質パラメータ（特定の出力パラメータ）の値と、その番組の識別子とを関連付けてＤＢに記録してもよい。
【００８３】
図６の（ａ）〜（ｃ）は、コンテンツの録画開始時、録画完了時、および、再生中における画質パラメータの設定受け付け時の各時点における、ＵＳＢ−ＨＤＤ２内のデータの内容を模式的に例示した図である。
【００８４】
例えば、コンテンツ２の録画開始時におけるテレビ１の明るさの設定値が“Ａ２”であり、コントラストの設定値が“Ｂ２”である場合、図６の（ａ）と（ｂ）とを比べるとわかるように、テレビ１は、“番組ＩＤ２”と明るさの設定値“Ａ２”とコントラストの設定値と“Ｂ２”とを関連づけてＤＢに記録する。
【００８５】
そして、図６の（ｂ）と（ｃ）とを比べるとわかるように、コンテンツ２の再生中にコントラストの設定値が“Ｂ２”から“Ｂ２’”に変更された場合、パラメータ処理手段１１８２は、「識別子」フィールドの値が“番組ＩＤ２”であるレコードにおける「コントラスト」フィールドの値を“Ｂ２”から“Ｂ２’”に更新する。
【００８６】
したがって、このように構成されたテレビ１も、再生対象番組の再生の度に視聴者に画質パラメータの設定値を調整させることなく、その番組の映像をいつまでも視聴者が満足の行く画質で表示できる。
【００８７】
なお、テレビ１は、番組の録画時に、その番組の各画質パラメータについて値の入力を視聴者から受け付けるためのＵＩ画面を表示し、入力された各画質パラメータ（特定の出力パラメータ）の値と、その番組の識別子とを関連付けてＤＢに記録してもよい。
【００８８】
（付記事項２）
また、テレビ１は、番組の録画予約時にテレビ１に設定されている各画質パラメータ（特定の出力パラメータ）の値と、その番組の識別子とを関連付けてＤＢに記録してもよい。
【００８９】
図７の（ａ）〜（ｃ）は、コンテンツの録画開始時、録画完了時、および、再生中における画質パラメータの設定受け付け時の各時点における、ＵＳＢ−ＨＤＤ２内のデータの内容を模式的に例示した図である。
【００９０】
例えば、コンテンツ２の録画予約時におけるテレビ１の明るさの設定値が“Ａ２”であり、コントラストの設定値が“Ｂ２”である場合、テレビ１は、録画予約時に“番組ＩＤ２”と明るさの設定値“Ａ２”とコントラストの設定値“Ｂ２”とを関連づけてＤＢに記録する。そのため、図７の（ａ）からわかるように、録画開始時にはすでに、“番組ＩＤ２”と明るさの設定値“Ａ２”とコントラストの設定値“Ｂ２”とを関連づけてＤＢに記録されている。
【００９１】
そして、図７の（ｂ）と（ｃ）とを比べるとわかるように、コンテンツ２の再生中にコントラストの設定値が“Ｂ２”から“Ｂ２’”に変更された場合、パラメータ処理手段１１８２は、「識別子」フィールドの値が“番組ＩＤ２”であるレコードにおける「コントラスト」フィールドの値を“Ｂ２”から“Ｂ２’”に更新する。
【００９２】
したがって、このように構成されたテレビ１も、再生対象番組の再生の度に視聴者に画質パラメータの設定値を調整させることなく、その番組の映像をいつまでも視聴者が満足の行く画質で表示できる。
【００９３】
なお、テレビ１は、番組の録画予約時に、その番組に関する各画質パラメータの値の入力を視聴者から受け付けるためのＵＩ画面を表示し、入力された各画質パラメータ（特定の出力パラメータ）の値と、その番組の識別子とを関連付けてＤＢに記録してもよい。
【００９４】
（付記事項３）
ところで、番組タイトルの全体または一部が同じであるシリーズ物の各話の映像は、通常同じ撮影スタッフにより作り出される。そのため、上記実施形態に係るテレビ１および一般的なテレビに表示される各話の映像は、画質設定が同じであれば同じような雰囲気の映像となる。したがって、例えば、視聴者が録画済みの第１話の再生中に行った画質設定の結果として第１話の映像の画質に満足した場合、第２話の再生時に同様の画質設定が成されれば、その視聴者は、第２話の映像の画質にも満足すると考えられる。
【００９５】
このことに鑑みて、テレビ１を以下のように構成してもよい。
【００９６】
すなわち、テレビ１は、番組の録画開始時（または録画予約時）にテレビ１に設定されている各画質パラメータの値と、その番組の識別子とに加え、その番組の番組タイトルを関連付けてＤＢに記録してもよい。
【００９７】
そして、テレビ１のパラメータ処理手段１１８２（特許請求の範囲の「判定手段」に対応）は、コンテンツの録画開始時（または録画予約時）に、そのコンテンツと番組タイトルが全体一致または部分一致する他のコンテンツの画質パラメータがＤＢ内に記録されているか否かを判定してもよい。
【００９８】
さらに、パラメータ処理手段１１８２は、そのようなコンテンツの画質パラメータが記録されていると判定した場合、各画質パラメータの値と録画（または録画予約）の対象となっているコンテンツの番組ＩＤと番組タイトルとをフィールド値とする新規レコードをＤＢ内に追加してもよい。
【００９９】
“龍○伝２話”というタイトルのコンテンツ２を録画する時点で“龍○伝１話”というタイトルのコンテンツ１が録画済みである場合の例について図８を参照しながら以下に説明する。
【０１００】
図８の（ａ）〜（ｃ）は、コンテンツの録画開始時、録画完了時、および、再生中における画質パラメータの設定受け付け時の各時点における、ＵＳＢ−ＨＤＤ２内のデータの内容を模式的に例示した図である。
【０１０１】
図８の（ａ）に示すように、コンテンツ２の録画開始時に、コンテンツ２と番組タイトルが部分一致する（具体的には図中において破線で囲まれた部分の文字列が一致する）コンテンツ１の画質パラメータがＤＢ内に記録されている。
【０１０２】
この場合、パラメータ処理手段１１８２は、コンテンツ１の各画質パラメータの値と、コンテンツ２の番組ＩＤ“番組ＩＤ２”と、コンテンツ２の番組タイトル“龍○伝２話”と、をフィールド値とする新規レコードをＤＢ内に追加する。
【０１０３】
その結果、データベースの内容は図８の（ｂ）に示された内容に更新される。
【０１０４】
そして、図８の（ｂ）と（ｃ）とを比べるとわかるように、コンテンツ２の再生中にコントラストの設定値が“Ｂ２”から“Ｂ２’”に変更された場合、パラメータ処理手段１１８２は、「識別子」フィールドの値が“番組ＩＤ２”であるレコードにおける「コントラスト」フィールドの値を“Ｂ２”から“Ｂ２’”に更新する。
【０１０５】
したがって、このように構成されたテレビ１も、再生対象番組の再生の度に視聴者に画質パラメータの設定値を調整させることなく、その番組の映像をいつまでも視聴者が満足の行く画質で表示できる。
【０１０６】
また、このように構成されたテレビ１は、シリーズ物の第２話の再生時に、第１話の各画質パラメータの値に応じた画質で第２話の映像を表示する。したがって、視聴者が第１話の再生中にテレビ１の画質パラメータの設定を適切に変更した上で第２話を録画した場合、テレビ１は、第２話の再生時にその視聴者の満足の行く画質で映像を表示できる。
【０１０７】
なお、テレビ１は、例えば、トランスポートストリーム（ＴＳ）内のＰＳＩのイベント情報テーブル（ＥＩＴ）から番組名を抽出することでＤＢに記録すべき番組タイトルを取得できる。また、テレビ１は、特許第４１９５０８４号明細書に開示されている技術と同様の技術を用いてＢＤのタイトル名を取得できる。すなわち、テレビ１は、ＢＤに記録されているメディアＩＤを用いてリモートデータベースを検索することにより、リモートデータベースからそのＢＤのタイトル名を取得できる。
【０１０８】
（付記事項４）
本発明に係る出力制御装置は、テレビ１等の表示装置に限定されず、表示制御機能を備えたパーソナルコンピュータ（例えば、ビデオカードの設定、または、内蔵されているか外部に接続されているディスプレイに関する設定（例えば、「４：３」「１６：９」といった画郭の設定）等）を、ＯＳが提供するＧＵＩを通じて変更可能なパーソナルコンピュータ）やゲーム機器等の表示制御装置としても実現できる。
【０１０９】
また、本発明に係る出力制御装置は、映像を表示する機能を備えていないオーディオ装置としても実現できる。具体的には、音声をスピーカ（特許請求の範囲の「音声出力部」に対応）から出力するオーディオ装置であって、音楽コンテンツを再生する再生手段と、音楽コンテンツ毎に、オーディオ装置に当該音楽コンテンツの再生の度に設定される音声パラメータ（例えば、音量、イコライザ設定音声チャンネル）を記憶部に記録する記録手段と、ユーザからの更新指示に基づいて、上記記憶部に記録されている１つ以上の音楽コンテンツの音声パラメータをコンテンツ毎に個別に更新する更新手段と、を備えたオーディオ装置としても、本発明を実現できる。また、テレビ１に上記オーディオ装置が備える各手段を設けることもできる。
【０１１０】
上記オーディオ装置は、「音声チャンネル」の設定値として、「ステレオ（二重音声）」、「主音声」または「副音声」等を設定可能に構成されていてもよい。
【０１１１】
（付記事項５）
上記実施形態では、コンテンツ毎にＤＢに記録する各画質パラメータの具体例として「明るさ」「コントラスト」等を挙げたが、「バックライトの輝度」「色合い」「色の濃さ」「シャープネス」「色温度」「ＣＭＳ」「ガンマ値」「サブピクセルレンダリングの有効／無効を示すフラグ」「超解像処理の有効／無効を示すフラグ」「白黒モードの有効／無効を示すフラグ」「倍速モードの有効／無効を示すフラグ」「ＮＲの有効／無効を示すフラグ」等をＤＢに記録してもよい。また、映像パラメータ（表示パラメータ）の具体例として、「３Dモードの有効／無効を示すフラグ」、「３D表示方式（サイドバイサイド方式、フレームパッキング方式、トップアンドボトム方式等）」、表示画面内における「映像を表示する場所（表示画面の「中央」「左上」「右上」「左下」「右下」等）」「映像表示の有効／無効を示すフラグ」「字幕表示の有効／無効を示すフラグ」「字幕の言語（「英語」「日本語」等）」「画郭の設定」等をＤＢに記録してもよい。
【０１１２】
（付記事項６）
上記実施形態では、ＢＤを識別する識別子としてメディアＩＤを採用したが、本発明はこれに限定されない。ＢＤドライブ１０５としてＢＤ−ＬＩＶＥ（Ｐｒｏｆｉｌｅ２．０）に対応したＢＤドライブを採用したテレビ１においては、ＢＤがＢＤ−ＬＩＶＥに対応している場合、そのＢＤを識別する識別子として固有ＩＤを用いてもよい。
【０１１３】
また、上記実施形態では、テレビ１がＢＤドライブ１０５を内蔵しているが、ＢＤドライブ１０５は、テレビ１と接続された外部のＢＤドライブであってもよい。
【０１１４】
また、上記実施形態では、テレビ１がデータベースおよびコンテンツの録画データを外部のＵＳＢ―ＨＤＤ２に記録するものとしたが、内蔵のＨＤドライブ１２１に記録してもよい。
【０１１５】
（付記事項７）
テレビ１は、ＵＳＢ−ＨＤＤ２内のＤＢの内容をＬＣＤ１１１に表示してもよい。具体的には、テレビ１のパラメータ処理手段１１８２は、ＤＢを参照し、ＤＢに登録されている各番組コンテンツの画質パラメータ（または、画質パラメータおよび音声パラメータの両方）をＬＣＤ１１１に表示してもよい。
【０１１６】
また、パラメータ処理手段１１８２は、各画質パラメータの設定値をＤＢに記録する際に、対象コンテンツの再生時にテレビ１の各設定値がＤＢに登録されている対象コンテンツに関する各パラメータの値に更新（変更）されたか否かを示すフラグを、各画質パラメータの値と関連付けて記録してもよい。すなわち、パラメータ処理手段１１８２は、各画質パラメータの値と、フラグの値と、をフィールド値とするレコードをＤＢに記録してもよい。パラメータ処理手段１１８２がＤＢに画質パラメータと音声パラメータとの両方を記録する場合も同様である。なお、当然ながら、このフラグの値は、フラグの記録時には「テレビ１の各設定値が対象コンテンツに関する各パラメータの値で変更されていない」ことを示す値（例えば、「ＦＡＬＳＥ」）になっている。
【０１１７】
パラメータ処理手段１１８２は、ＤＢに上記フラグを記録する場合には、ＤＢに登録されている各番組コンテンツの画質パラメータをＬＣＤ１１０に表示してもよい。具体的には、パラメータ処理手段１１８２は、各番組コンテンツについて、対象コンテンツの情報（識別名および各画質パラメータ）を他の番組コンテンツの情報が表示される領域と異なる領域に表示してもよい。
【０１１８】
特に、パラメータ処理手段１１８２は、各番組コンテンツについて、対象コンテンツについてＤＢに記録されたフラグが「テレビ１の各設定値が対象コンテンツに関する各パラメータの値で変更された」ことを示す場合と、当該フラグがそうでないことを示す場合とで、対象番組コンテンツの画質パラメータ（より一般的には、映像パラメータまたは出力パラメータ）を異なる表示態様で表示するのが望ましい。
【０１１９】
例えば、パラメータ処理手段１１８２（特許請求の範囲の「パラメータ表示制御手段」に対応）は、再生時にテレビ１の設定値がＤＢに登録されている対象コンテンツに関する各パラメータの値に自動的に変更された番組コンテンツの情報が表示される領域と、それ以外の番組コンテンツの情報が表示される領域とで、背景色が異なるように、背景色の表示を制御してもよい。なお、パラメータ処理手段１１８２は、識別名やタイトル名等（特許請求の範囲の「識別情報」に対応）が表示される領域の背景色のみについて、この制御を行ってもよいし、各パラメータが表示される領域の背景色のみについて、この制御を行ってもよい。
【０１２０】
テレビ１をこのように構成した場合の利点について、テレビ１の一使用例の説明を交えながら、図９および図１０を参照して以下に説明する。図９の（ａ）〜（ｃ）は、ユーザがこの使用例に従ってテレビ１を使用している間の各段階におけるＵＳＢ−ＨＤＤ２内のデータの内容を模式的に例示した図である。図１０は、テレビ１が再生可能な各コンテンツの出力パラメータの値を含むパラメータ確認画面を例示した図である。なお、ここでは、パラメータ処理手段１１８２が、番組コンテンツの画質パラメータを、その番組コンテンツの初回再生時にＤＢに登録する構成を前提として説明を行うが、番組コンテンツの録画時または録画予約時にＤＢに登録する構成を採用しても同様の利点が得られるのは、以下の説明から明らかである。
【０１２１】
（付記事項７に記載された構成の利点）
付記事項７に記載された構成の利点について、あるユーザのテレビ１の利用態様を例として挙げながら以下に説明する。
【０１２２】
テレビ１のユーザが、ある洋画コンテンツ（タイトル名：「洋画Ａ」）を録画し、その洋画コンテンツを初めて再生した。このユーザは、初めての視聴時にその洋画コンテンツの副音声を聴取し、字幕を表示させたかったので、テレビ１のリモコンを用いて、音声パラメータである音声チャンネルの設定値を「副音声」にし、映像パラメータである字幕の設定値を「字幕入」に設定した。
【０１２３】
この時点で、パラメータ処理手段１１８２は、テレビの設定値（音声チャンネルの設定値、字幕の設定値、音量の設定値（ここでは、設定値を「２０」とする）など）を、この洋画コンテンツに関するパラメータの値としてＤＢに登録する。その結果、ＵＳＢ−ＨＤＤ２内のＤＢは、図９（ａ）に示されるような内容になる。
【０１２４】
ユーザは、テレビ１の再生中に眠くなったので、洋画コンテンツの再生を中断して、就寝し、その日を終えた。
【０１２５】
次の日に、ユーザは、録画済みの別のバラエティ番組（タイトル名：「バラエティＡ」）を初めて再生した。
【０１２６】
ユーザは、バラエティ番組の再生中に副音声を聴取したり字幕を見たりする必要性を感じなかったので、リモコンを用いて、音声チャンネルの設定値を「主音声」にし、字幕の設定値を「字幕切」に設定した。この際、音量が大きすぎると感じたので、音量を「２０」から「１０」に下げた。
【０１２７】
この時点で、パラメータ処理手段１１８２は、テレビ１の設定値（音声チャンネルの設定値、字幕の設定値、音量を示す値など）を、このバラエティ番組に関するパラメータの値としてＤＢに登録する。その結果、ＵＳＢ−ＨＤＤ２内のＤＢは、図９（ｂ）に示されるような内容になる。
【０１２８】
さらに別の日に、ユーザは、再生を中断した洋画コンテンツを、中断地点から再生した。
【０１２９】
ユーザが再生指示を出した時、パラメータ処理手段１１８２は、この洋画コンテンツに関する各パラメータの値をＤＢから読み出し、テレビ１の各設定値を、読み出した各パラメータの値に自動的に変更する。これにより、ユーザは、洋画コンテンツを中断時点から前回と同じ設定条件（音声チャンネル：「副音声」、字幕：「字幕入」）の下で視聴することができる。なお、テレビ１は、ユーザに指示された場合（例えば、テレビ１が各設定値を自動変更するモードに設定されている場合）に限って、このような設定値の変更処理を行うように構成されていてもよいし、常に、このような変更処理を行うように構成されていてもよい。
【０１３０】
また、パラメータ処理手段１１８２は、テレビ１の設定値の変更処理に前後して、この洋画コンテンツに関する前述のフラグの値を「ＦＡＬＳＥ」から「ＴＲＵＥ」に更新する。その結果、ＵＳＢ−ＨＤＤ２内のＤＢは、図９（ｃ）に示されるような内容になる。
【０１３１】
その後、ユーザは、洋画コンテンツを最後まで視聴し、視聴後すぐに、各番組コンテンツの画質パラメータをＬＣＤ１１０に表示させる操作を行った。
【０１３２】
この時点で、パラメータ処理手段１１８２は、各番組コンテンツの出力パラメータをＬＣＤ１１０に表示する。その結果、ＬＣＤ１１０には、図１０に示したようなパラメータ確認画面が表示されることになる。すなわち、パラメータ処理手段１１８２は、洋画コンテンツのタイトル名（洋画Ａ）が表示される領域と、バラエティ番組のタイトル名（バラエティＡ）が表示される領域とで、その背景色が異なるように、パラメータ確認画面をＬＣＤ１１０に表示することになる。
【０１３３】
なお、図１０のようにパラメータ確認画面が表示される理由は、洋画コンテンツが、その再生時にテレビ１の設定値が自動的にＤＢ内のその洋画コンテンツに関する各パラメータの値に変更されたのに対し、バラエティ番組は、その再生時にテレビ１の設定値が自動的にＤＢ内のそのバラエティ番組に関する各パラメータの値に変更されたことがないからである。
【０１３４】
以上のような付記事項７に記載された構成によって、ユーザは、パラメータ確認画面の表示中に直近で視聴した洋画コンテンツのタイトル名が表示されている領域の背景色を確認することで、洋画コンテンツの再生によってテレビ１の設定値が自動的に変更されたことを認識することができる。
【０１３５】
したがって、付記事項７に記載された構成は、ユーザに、録画済みのコンテンツを視聴した後に、リアルタイム放送される番組を視聴する別のユーザのためにテレビ１の設定値をデフォルトの値に戻そうという意識を喚起させることができるという効果を奏する。
【０１３６】
（付記事項８）
同一コンテンツ（映像コンテンツや音声コンテンツ等）の再生の度に鑑賞者に出力制御用のパラメータ（画質パラメータや音声パラメータ等）を調整させることなく、そのコンテンツの映像、音声またはその両方をいつまでも鑑賞者が満足する質で出力可能な出力制御装置を実現するために、本発明の一態様に係る出力制御装置は、映像および音声の少なくともいずれかを出力部から出力する出力制御装置において、コンテンツを再生する再生手段と、コンテンツ毎に、上記出力制御装置に当該コンテンツの再生の度に設定される出力パラメータであってその設定値に応じて上記出力制御装置が上記出力部からの出力を制御する出力パラメータを記憶部に記録する記録手段と、ユーザからの更新指示に基づいて、上記記憶部に記録されている出力パラメータをコンテンツ毎に個別に更新する更新手段と、を備えていることを特徴としている。
【０１３７】
上記の構成によれば、本発明の一態様に係る出力制御装置は、ユーザ（例えば、鑑賞者）からの上記更新指示があるまでは、当該コンテンツを再生するたびに、上記記憶部に記録されている出力パラメータの設定値に応じて上記出力部からの映像および音声の少なくともいずれかの出力を制御する。
【０１３８】
また、上記の構成によれば、本発明の一態様に係る出力制御装置は、鑑賞者から、上記更新指示があると、当該更新指示に基づいて、上記記憶部に記録されているコンテンツの出力パラメータを更新する。そして、本発明の一態様に係る出力制御装置は、その後に当該コンテンツを再生するたびに、更新後の出力パラメータの設定値に応じて出力部からの映像および音声の少なくともいずれかの出力を制御する。そして、鑑賞者が満足行くまで上記更新指示を繰り返した後は、本発明の一態様に係る出力制御装置は、コンテンツの出力の度に鑑賞者に出力パラメータの設定値を調整させることなく、そのコンテンツの映像、音声またはその両方を鑑賞者が満足する質で出力できる。
【０１３９】
したがって、本発明の一態様に係る出力制御装置は、コンテンツの出力の度に鑑賞者に出力パラメータの設定値を調整させることなく、そのコンテンツの映像、音声またはその両方をいつまでも鑑賞者が満足する質で出力できる。
【０１４０】
また、本発明は、映像および音声の少なくともいずれかを出力部から出力する出力制御装置において、コンテンツを再生する再生手段と、コンテンツ毎に、上記出力制御装置に当該コンテンツの再生の度に設定される出力パラメータであってその設定値に応じて上記出力制御装置が上記出力部からの出力を制御する出力パラメータを記憶部に記録する記録手段と、ユーザからの更新指示に基づいて、上記記憶部に記録されている出力パラメータをコンテンツ毎に個別に更新する更新手段と、を備え、上記記録手段は、上記コンテンツの再生の度に上記出力制御装置に設定される出力パラメータとして、当該コンテンツの初回の再生時に上記出力制御装置に設定されている出力パラメータを上記記憶部に記録する、ことを特徴とする出力制御装置としても実現できる。
【０１４１】
上記の構成によれば、本発明の一態様に係る出力制御装置は、ユーザが当該コンテンツの初回の再生時に出力制御装置の出力パラメータの設定をある程度適切に設定すれば、当該コンテンツの２度目以降の再生時も、鑑賞者がある程度満足する質で当該コンテンツの映像、音声またはその両方を出力できるというさらなる効果を奏する。
【０１４２】
（まとめ）
本発明の一態様に係る出力制御装置（テレビ１）は、上記課題を解決するために、自装置で録画済みのコンテンツの映像を出力部（ＬＣＤ１１０）から出力する出力制御装置において、上記コンテンツを再生する再生手段（録画再生手段１１８２）と、コンテンツ毎に、当該コンテンツの再生の度に上記出力制御装置に設定される出力パラメータであってその設定値に応じて上記出力制御装置が上記出力部からの出力を制御する出力パラメータを、当該コンテンツの出力パラメータとして、記憶部（ＵＳＢ−ＨＤドライブ２）に記録する記録手段（パラメータ処理手段１１８２）と、ユーザからの更新指示に基づいて、上記記憶部に記録されている出力パラメータをコンテンツ毎に個別に更新する更新手段（パラメータ処理手段１１８２）と、を備え、上記記録手段は、上記コンテンツの出力パラメータを、当該コンテンツの録画時または録画予約時に上記記憶部に記録する、ことを特徴としている。
【０１４３】
上記の構成によれば、本発明の一態様に係る出力制御装置は、ユーザ（例えば、鑑賞者）からの上記更新指示があるまでは、自装置で録画済みのコンテンツを再生するたびに、上記記憶部に記録されている当該コンテンツの出力パラメータの設定値に応じて上記出力部からの映像の出力を制御する。
【０１４４】
また、上記の構成によれば、本発明の一態様に係る出力制御装置は、鑑賞者から、上記更新指示があると、当該更新指示に基づいて、上記記憶部に記録されているコンテンツの出力パラメータを更新する。そして、本発明の一態様に係る出力制御装置は、その後に当該コンテンツを再生するたびに、更新後の出力パラメータの設定値に応じて出力部からの映像の出力を制御する。そして、鑑賞者が満足行くまで上記更新指示を繰り返した後は、本発明の一態様に係る出力制御装置は、コンテンツの出力の度に鑑賞者に出力パラメータの設定値を調整させることなく、そのコンテンツの映像を鑑賞者が満足する質で出力できる。
【０１４５】
したがって、本発明の一態様に係る出力制御装置は、自装置で録画したコンテンツの出力の度に鑑賞者に出力パラメータの設定値を調整させることなく、そのコンテンツの映像をいつまでも鑑賞者が満足する質で出力できる。
【０１４６】
また、上記の構成によれば、本発明の一態様に係る出力制御装置は、ユーザが当該コンテンツの録画時および録画予約時に出力制御装置の出力パラメータの設定をある程度適切に設定すれば、当該コンテンツの再生開始時点から、鑑賞者がある程度満足する質で当該コンテンツの映像を出力できるという効果を奏する。
【０１４７】
本発明の一態様に係る出力制御方法は、上記課題を解決するために、自装置で録画済みのコンテンツの映像を出力部から出力する出力制御装置の出力制御方法において、上記コンテンツを再生する再生工程と、コンテンツ毎に、当該コンテンツの再生の度に上記出力制御装置に設定される出力パラメータであってその設定値に応じて上記出力制御装置が上記出力部からの出力を制御する出力パラメータを、当該コンテンツの出力パラメータとして、記憶部に記録する記録工程と、ユーザからの更新指示に基づいて、上記記憶部に記録されている出力パラメータをコンテンツ毎に個別に更新する更新工程と、を含み、上記記録工程は、上記コンテンツの出力パラメータを、当該コンテンツの録画時または録画予約時に上記記憶部に記録する工程である、ことを特徴としている。
【０１４８】
上記の構成によれば、本発明の一態様に係る出力制御方法は、本発明の一態様に係る出力制御装置と同様の作用効果を奏する。
【０１４９】
本発明の一態様に係る出力制御装置は、上記記録手段が、上記コンテンツの出力パラメータとして、特定の出力パラメータを記録するように構成されており、上記特定の出力パラメータが、当該コンテンツの録画時または録画予約時に上記出力制御装置に設定されている出力パラメータであるか、ユーザにより当該コンテンツの出力パラメータとして指定された出力パラメータである、ことが望ましい。
【０１５０】
本発明の一態様に係る出力制御装置は、上記コンテンツの録画時または録画予約時に、上記記憶部に当該コンテンツと名が全体一致または部分一致する他のコンテンツの出力パラメータが記録されているか否かを判定する判定手段（パラメータ処理手段１１８２）をさらに備え、上記記録手段は、上記録画時または録画予約時に記録する上記コンテンツの出力パラメータとして、上記判定手段が上記他のコンテンツの出力パラメータが記録されていると判定した場合には、当該他のコンテンツの出力パラメータを記録し、上記判定手段が上記他のコンテンツの出力パラメータが記録されていないと判定した場合には、上記特定の出力パラメータを記録するように構成されている、ことが望ましい。
【０１５１】
上記の構成によれば、本発明の一態様に係る出力制御装置は、録画または録画予約の対象となっているコンテンツとタイトル名の全部または一部分が同一である他のコンテンツの出力パラメータが上記記憶部に記録されている場合には、録画または録画予約の対象となっているコンテンツが再生される度に設定される出力パラメータとして、当該他のコンテンツの出力パラメータを記録する。例えば、本発明の一態様に係る出力制御装置は、「ハリー○ッターと秘密の部屋」の録画時に、「ハリー○ッターと賢者の石」の出力パラメータが記憶部に記録されている場合には、その出力パラメータを、「ハリー○ッターと秘密の部屋」が再生される度に自装置に設定される出力パラメータとして記録する。
【０１５２】
一般に、番組タイトルの全体または一部分が同じであるシリーズ物の各話は、概ね同じスタッフ陣により作り出される。そのため、出力される各話の映像は、画質設定が同じであれば同じような雰囲気になる。
【０１５３】
したがって、本発明の一態様に係る出力制御装置は、コンテンツ（例えば、「ハリー○ッターと秘密の部屋」）の録画時または録画予約時にタイトル名の全部または一部が同一である他のコンテンツ（例えば、「ハリー○ッターと賢者の石」）の出力パラメータがある鑑賞者にとって最適な値に更新されている場合、録画または録画予約を行ったコンテンツ（例えば、「ハリー○ッターと秘密の部屋」）を初めて再生する時から、その鑑賞者が大変満足する質で映像を出力できるというさらなる効果を奏する。
【０１５４】
本発明の一態様に係る出力制御装置は、上記出力部が表示部（ＬＣＤ１１０）と音声出力部（スピーカ１１４）とを含んでおり、上記出力パラメータには、画質パラメータと音声パラメータとが含まれており、再生中の上記コンテンツの映像を上記表示部に表示するとともに、当該コンテンツの音声を上記音声出力部から出力するように構成されている、ことが望ましい。
【０１５５】
上記の構成によれば、本発明の一態様に係る出力制御装置は、自装置で録画したコンテンツの映像だけでなく、そのコンテンツの音声についても、いつまでも鑑賞者が満足する質で出力させることができるというさらなる効果を奏する。
【０１５６】
本発明の一態様に係る出力制御装置は、上記コンテンツ毎に、当該コンテンツを識別する識別情報と当該コンテンツの出力パラメータとを表示部に表示するパラメータ表示制御手段（パラメータ処理手段１１８２）をさらに備え、上記パラメータ表示制御手段は、上記コンテンツ毎に、当該コンテンツを識別する識別情報と当該コンテンツの出力パラメータとの一方または両方を、当該コンテンツの再生時に当該コンテンツの出力パラメータが上記出力制御装置に自動的に設定されたか否かに依って異なる表示態様で表示するように構成されている、ことが望ましい。
【０１５７】
上記の構成によれば、本発明の一態様に係る出力制御装置は、ユーザが直近で再生したコンテンツの識別情報または出力パラメータを表示部に表示される映像中から探してその表示態様を確認することで、直近での再生により上記出力制御装置の設定が自動的に変更されたか否かを把握することを可能にする、というさらなる効果を奏する。
【０１５８】
なお、本発明の一態様に係る出力制御装置は、上記出力制御装置の各手段を備えていることを特徴とするテレビジョン受像機としても実現できる。
【０１５９】
この場合、本発明の一態様に係るテレビジョン受像機は、上記再生手段が、入力切替により再生対象となった映像を再生可能に構成されており、上記記録手段が、上記入力切替により切り替え可能な入力毎に、該入力に切り替えられる度に上記出力制御装置に設定される出力パラメータであってその設定値に応じて上記出力制御装置が上記出力部からの出力を制御する出力パラメータを、上記記憶部に記録するように構成されており、上記記憶部に記録される該出力パラメータの値の入力を受け付ける入力受付手段（赤外線受光部１１９）をさらに備えている、ことが望ましい。
【０１６０】
上記の構成によれば、本発明の一態様に係るテレビジョン受像機は、入力が切り替わる度に、上記設定値を切り替え後の入力に応じたユーザが所望する値に自動的に変更する。したがって、本発明の一態様に係るテレビジョン受像機は、入力を切り替えたときにユーザが上記設定値を変更する手間を減らすことができる、というさらなる効果を奏する。
【０１６１】
また、本発明の一態様に係るテレビジョン受像機は、上記録画済みのコンテンツの一覧を示す録画リスト画面を表示可能に構成されており、上記録画リスト画面内のユーザに指定されるタイトルについてそのサムネイル動画を再生するか否かの設定を受け付ける設定受付手段（赤外線受光部１１９）と、上記録画リスト画面の表示時に、上記テレビジョン受像機に設定される音量パラメータの値を、上記録画リスト画面の表示前よりも小さくする設定変更手段（パラメータ処理手段１１８２）と、をさらに備え、上記設定変更手段は、上記録画リスト画面の表示時に上記設定がサムネイル動画を再生する設定になっている場合に、上記音量パラメータの値を小さくするように構成されている、ことが望ましい。
【０１６２】
ところで、ユーザは、フルスクリーン動画の再生を所望するタイトルを録画リストの中から探すために、様々なタイトルのサムネイル動画を上記テレビジョン受像機に再生させることが考えられる。仮に、サムネイル動画を再生させるたびに、テレビジョン受像機からそのサムネイル動画の音声が大きな音量で出力された場合、ユーザによっては煩わしさを感じると考えられる。
【０１６３】
上記の構成によれば、本発明の一態様に係るテレビジョン受像機は、上記録画リスト画面内でユーザが指定したタイトルについてそのサムネイル動画を再生する際に、少ない音量で音声を出力することになる。これにより、上記テレビジョン受像機は、ユーザに、上述のような煩わしさを感じさせずに、フルスクリーン動画の再生を所望するタイトルを録画リストの中から探させることができるというさらなる効果を奏する。
【０１６４】
また、本発明の一態様に係る出力制御装置を動作させるためのプログラムであって、コンピュータを上記の各手段として機能させることを特徴とする出力制御プログラム、および、その出力制御プログラムを記録した、コンピュータが読み取り可能な記録媒体も本発明の範疇に含まれる。
【０１６５】
（プログラム、記憶媒体）
テレビ１の各ブロックは、集積回路（ＩＣチップ）上に形成された論理回路によってハードウェア的に実現してもよいが、ソフトウェアで実装可能なブロックについてはＣＰＵ（Central Processing Unit）を用いてソフトウェア的に実現してもよい。
【０１６６】
後者の場合、テレビ１は、各ブロックの機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアであるテレビ１の制御プログラムのプログラムコード（実行形式プログラム、中間コードプログラム、ソースプログラム）をコンピュータで読み取り可能に記録した記録媒体を、テレビ１に供給し、そのコンピュータ（またはＣＰＵやＭＰＵ）が記録媒体に記録されているプログラムコードを読み出し実行することによっても、達成可能である。
【０１６７】
上記記録媒体としては、非一時的な記録媒体を用いることができる。例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【０１６８】
また、上記プログラムコードは、通信ネットワークを介してテレビ１に供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。
【０１６９】
なお、ここで開示された実施の形態はすべての点で例示であって制限的なものではないと考えられるべきである。本発明の範囲は、上記した説明だけではなく、特許請求の範囲によって示され、特許請求の範囲と均等の意味および範囲内でのすべての変更が含まれることが意図される。
【産業上の利用可能性】
【０１７０】
本発明に係る出力制御装置は、パーソナルコンピュータやテレビジョン受像機、音楽プレーヤ等の情報機器に幅広く適用することができる。
【符号の説明】
【０１７１】
１                テレビ（テレビジョン受像機、出力制御装置）
２                ＵＳＢ―ＨＤドライブ（記憶部）
１１８              ＣＰＵ
１１８１              録画再生手段（再生手段）
１１８２              パラメータ処理手段（記録手段、更新手段、判定手段、パラメ
ータ表示制御手段、設定変更手段）
１１０              ＬＣＤ（出力部、表示部）
１１４              スピーカ（出力部、音声出力部）
１１９              赤外線受光部（入力受付手段、設定受付手段）
【図１】
2014027648.tif 000003
【図２】
2014027648.tif 000004
【図３】
2014027648.tif 000005
【図４】
2014027648.tif 000006
【図５】
2014027648.tif 000007
【図６】
2014027648.tif 000008
【図７】
2014027648.tif 000009
【図８】
2014027648.tif 000010
【図９】
2014027648.tif 000011
【図１０】
2014027648.tif 000012
【図１１】
2014027648.tif 000013
【図１２】
2014027648.tif 000014